(57)【要約】【課題】各支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机において、端部に位置する支柱と端部の脚体とを連結する脚取付部材に、該支柱と脚体の外側面との間の段差を緩和する手段を設けてなる棚付き机における支柱と机脚体との連結装置を提供する。【解決手段】脚体４の後端面に取付けた端部用脚取付部材５を支柱３に連結するとともに、脚取付部材に支柱の露出した前面から前方へ行くに従い脚体の外側面に接近する化粧部Ｂを、脚取付部材の全高に亘って設けた。【選択図】        図４
2008086536.tif 000002
【特許請求の範囲】
【請求項１】
各支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机であって、前記脚体の後端面に取付けた端部用脚取付部材を前記支柱に連結するとともに、該脚取付部材に支柱の露出した前面から前方へ行くに従い前記脚体の外側面に接近する化粧部を、該脚取付部材の全高に亘って設けたことを特徴とする棚付き机における支柱と机脚体との連結装置。
【請求項２】
前記脚取付部材に、前記脚体の外側面より外側位置に後方へ向いた係止板と、該係止板より内方で該係止板に平行に後方へ向いた固定板とを設け、前記係止板の後端部に上下に列設した複数の下向きフックを前記支柱の左右中心に形成した係止孔に嵌合係止するとともに、前記固定板を前記支柱の内側面にネジ止めしてなる請求項１記載の棚付き机における支柱と机脚体との連結装置。
【請求項３】
前記化粧部は、前記係止板の前方に延設した傾斜板であり、前記係止板の前縁から該傾斜板を内向きに屈曲形成してなる請求項２記載の棚付き机における支柱と机脚体との連結装置。
【請求項４】
前記化粧部が、前記係止板の外側面に連設し、前記支柱の前面に沿って側端部まで延びた嵩増部と該嵩増部から前記脚体の外側面へ向けて延びた傾斜部とからなる請求項２記載の棚付き机における支柱と机脚体との連結装置。
【発明の詳細な説明】
【技術分野】
【０００１】
本発明は、棚付き机における支柱と机脚体との連結装置に係わり、更に詳しくは机の脚体の後部に収納棚の支柱を立設する棚付き机における支柱と机脚体との連結装置に関するものである。
【背景技術】
【０００２】
従来から、机の背後に棚を連結して構成した棚付き机は各種提供されている。例えば、特許文献１には、机の両脚体の後端にそれぞれ連結部材を介して支柱を立設し、該両支柱に多段に棚板を取付けるとともに、最下段の棚板の下方であって両支柱間に前面パネルを着脱可能に取付け、更に所定高さの棚板の下面に照明具を着脱可能に取付けて、机と収納棚を組合せた構造のものが開示されている。
【０００３】
更に詳しくは、前記机の両脚体の後端部に連結部を介してそれぞれ支柱を立設するとともに、両支柱の上端間を横杆で連結してフレーム構成し、前記支柱の前面側に形成した係止孔を利用してブラケットを嵌合係止し、両ブラケットで前記棚板の両側端部を支持した構造となっている。そして、前記連結部材は、前記脚体の後端と天板の後端の間の隙間を埋める化粧板の前縁に、脚体の後端面に接合し且つ脚体の後端部内面に連結するための平面視Ｌ字形の固定板を直角に形成するとともに、化粧板の後縁に前記支柱の前面と内側面とに接合してネジ止めするための断面略Ｌ字形の取付板を折曲形成したものである。
【０００４】
しかし、前述の特許文献１に記載の机は、天板の両側部に脚体を固定するとともに、両脚体の後端部間に幕板を渡設して剛性を持たせ、天板下の足入れ空間内であって、前記幕板の前面側に下部棚板を着脱可能に取付けたものを用いているため、両脚体は既に連結されて強度が高い。ところが、本発明が対象としているのは、脚体、天板、支柱、連結杆、ブラケット、棚板等の共通の基本構成ユニットを順次側方へ連結して所望幅の収納棚を構成する連増しタイプのものである。それには、同一の支柱を用い、該支柱を同じピッチで立設する必要がある。そのため、前記支柱の中心線に前記棚板、天板の端部が位置することになる。尚、部品点数を減らすために、中間部の支柱に連結する脚体は左右の天板の支持に共用することが望ましく、その場合には脚体と支柱の中心線とが一致する。
【０００５】
ところが、端部において、天板の端縁が端部に位置する支柱の中心線の位置にあり、また端部の脚体は天板の端部から突出しないように取付ける必要があることの必然として、脚体の外側面よりも支柱の端側半分が露出することになり、この部分に段部が残るのである。この端部の脚体の外側面と支柱の前面との間に生じる段部は全体として目立ち、外観性を大きく損なうことになる。
【特許文献１】特開２００４−１６４０３号公報
【発明の開示】
【発明が解決しようとする課題】
【０００６】
そこで、本発明が前述の状況に鑑み、解決しようとするところは、各支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机において、端部に位置する支柱と端部の脚体とを連結する脚取付部材に、該支柱と脚体の外側面との間の段差を緩和する手段を設けてなる棚付き机における支柱と机脚体との連結装置を提供する点にある。
【課題を解決するための手段】
【０００７】
本発明は、前述の課題解決のために、各支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の棚付き机であって、前記脚体の後端面に取付けた端部用脚取付部材を前記支柱に連結するとともに、該脚取付部材に支柱の露出した前面から前方へ行くに従い前記脚体の外側面に接近する化粧部を、該脚取付部材の全高に亘って設けたことを特徴とする棚付き机における支柱と机脚体との連結装置を構成した（請求項１）。
【０００８】
ここで、前記脚取付部材に、前記脚体の外側面より外側位置に後方へ向いた係止板と、該係止板より内方で該係止板に平行に後方へ向いた固定板とを設け、前記係止板の後端部に上下に列設した複数の下向きフックを前記支柱の左右中心に形成した係止孔に嵌合係止するとともに、前記固定板を前記支柱の内側面にネジ止めしてなることが好ましい（請求項２）。
【０００９】
そして、前記化粧部は、前記係止板の前方に延設した傾斜板であり、前記係止板の前縁から該傾斜板を内向きに屈曲形成してなるのである（請求項３）。
【００１０】
あるいは、前記化粧部が、前記係止板の外側面に連設し、前記支柱の前面に沿って側端部まで延びた嵩増部と該嵩増部から前記脚体の外側面へ向けて延びた傾斜部とからなるのである（請求項４）。
【発明の効果】
【００１１】
以上にしてなる請求項１に係る発明の棚付き机における支柱と机脚体との連結装置は、各支柱に脚体を脚取付部材にて取付け、隣接する脚体間に天板を取付けて机を構成し、該机の上方で前記支柱の所定高さ位置にはブラケットを着脱自在に取付けるとともに、隣接するブラケットに棚板の両側部を載置した構造の連増しタイプの棚付き机を構成する際に、前記脚体の後端面に取付けた端部用脚取付部材を前記支柱に連結するとともに、該脚取付部材に支柱の露出した前面から前方へ行くに従い前記脚体の外側面に接近する化粧部を、該脚取付部材の全高に亘って設けたので、支柱と脚体の外側面との間の段差を緩和し、外観性を高めることができるのである。
【００１２】
請求項２によれば、前記脚取付部材に、前記脚体の外側面より外側位置に後方へ向いた係止板と、該係止板より内方で該係止板に平行に後方へ向いた固定板とを設け、前記係止板の後端部に上下に列設した複数の下向きフックを前記支柱の左右中心に形成した係止孔に嵌合係止するとともに、前記固定板を前記支柱の内側面にネジ止めして連結するので、支柱と脚体とを強固に連結することができる。
【００１３】
請求項３によれば、前記脚取付部材の係止板の前方に傾斜板を屈曲して延設し、この傾斜板を化粧部としたので、係止板から化粧部まで連続するので、外観性において単純になり、前記支柱と脚体の外側面との間の段差を緩和することができる。
【００１４】
請求項４によれば、前記脚取付部材の係止板の外側面に連設し、前記支柱の前面に沿って側端部まで延びた嵩増部と該嵩増部から前記脚体の外側面へ向けて延びた傾斜部とで化粧部を構成したので、前記支柱と脚体の外側面との間の段差を殆ど傾斜部で隠蔽することができ、大幅な外観性の向上が図れるのである。
【発明を実施するための最良の形態】
【００１５】
次に、添付図面に示した実施形態に基づき、本発明を更に詳細に説明する。図１及び図２は本発明に係る棚付き机を示し、図３〜図７は本発明の詳細を示し、図中符号１は収納棚、２は机、３は支柱、４は脚体、５は脚取付部材、６は天板、７は連結杆、８はブラケット、９は棚板、１０は幕板をそれぞれ示している。
【００１６】
本実施形態の棚付き机は、図１及び図２に示すように、収納棚１と机２とからなり、側方へ同一のユニットを継ぎ足して横幅の広い棚付き机を構成する連増しタイプのものであり、複数の支柱３，…を同一間隔毎に立設し、それぞれ各支柱３に脚体４を脚取付部材５にて取付け、隣接する脚体４，４間に天板６を取付けて机２を構成し、隣接する支柱３，３の上端間を連結杆７で連結するとともに、前記机２の上方で前記支柱の所定高さ位置にはブラケット８，…を着脱自在に取付けるとともに、隣接するブラケット８，８に棚板９の両側部を載置し、更に前記天板６の下方で両脚体４，４の後端部間又は支柱３，３間に幕板１０を取付けている。尚、図示しないが、前記天板６の上方で隣接する支柱３，３間に、オプションとしてバックパネルを取付けることも可能である。
【００１７】
本実施形態では支柱３，…の前後両側に机２，２を設けているが、前記机２は片側のみであっても構わない。また、本実施形態では、支柱３，…は全て同一形状のものであり、図６に示すように、支柱３，…を等間隔で立設し、また前記天板６及び棚板９は同一横幅であり、その側端面の位置は支柱３の中心線と略一致している。更に、前記机２を構成する脚体４は全て同一形状であり、端部に位置する脚体４は天板６の側端面よりも内側位置に取付けてあり、また中間部に位置する脚体４は隣接する天板６，６に跨るように、該脚体４の中心線が隣接する天板６，６の接合線と一致するように設定している。ここで、前記連結杆７によって同一ピッチＷに設定される。
【００１８】
更に詳しくは、図３〜図５に示すように、前記支柱３の前後両面には、その中心線に沿って一列に係止孔１１，…を所定間隔毎に形成している。そして、前記脚体４は、図５に示すように、後部の両側面が段状に突出した突出部１２を有している。そして、前記端部用脚取付部材５は、前記脚体４の後端面に接合してネジ止めする取付板１３の外側縁から後方へ延び、更にその後縁から内方へ延びた断面略コ字形の補強杆部１４を形成している。更に、前記脚取付部材５には、前記補強杆部１４の外面に係止板１５を固着し、該係止板１５は前記脚体４の外側面より外側位置に後方へ向いている。そして、前記係止板１５の後端部には、前記支柱３の係止孔１１，…に嵌合係止する複数の下向きフック１６，…を上下に列設している。
【００１９】
また、前記脚取付部材５の補強杆部１４の内縁を後方へ直角に折曲して前記係止板１５と平行な固定板１７を形成するとともに、前記取付板１３に断面Ｌ字状の補強部材１８を固着し、該補強部材１８の後方へ延びた固定板１９を前記固定板１７と重合して強度を高めている。前記両固定板１７，１９は、前記下向きフック１６，…を支柱３の係止孔１１，…に嵌合係止した後、前記支柱３の内側面にネジ止めして取付ける。また、前記補強杆部１４の下端部に溶接等により予め固着した下連結部材２０の立起部２１を前記脚体４の後端部内に挿入し、該脚体４の後端に対する前記脚取付部材５の取付強度を高めている。
【００２０】
そして、前記係止板１５の前方に内向きに屈曲して傾斜板２２を延設し、該傾斜板２２と係止板１５とで、支柱３と脚体４の外側面との間の段差を視覚的に緩和する化粧部Ｂとしたのである。この場合、図５（ｂ）に示すように、化粧部Ｂは、前記脚体４の外側面よりも外方で、前記支柱３の前面の左右中央部から前方へ延び（係止板１５）、それから前方へ行くに従い前記脚体４の外側面に傾斜して接近し（傾斜板２２）、前記脚体４の突出部１２を隠蔽するように覆っている。この化粧部Ｂの存在によって、前記支柱３と脚体４の外側面との間の段差が視覚的に大幅に緩和されるのである。
【００２１】
また、前記支柱３の横幅は、前記脚体４の後端面の横幅よりも広くなっており、また前記両固定板１７，１９は、前記脚体４の中心線に一致させていることから、前記係止板１５は前記脚体４の外側面よりも外方に位置するので、前記傾斜板２２に角度を持たせることができる。また、前記係止板１５と両固定板１７，１９の間隔は広い程、前記支柱３と脚体４の連結強度が向上するのである。また、前記係止板１５は、前記支柱３の前後面に直角であるので、この段差部を利用して側面パネル等を取付けたときに、該係止板１５が側面パネルの内面に当止して保持するので、側面パネル等を安定に取付けることができるのである。
【００２２】
また、図７に示したものは、化粧部Ｂ１の他の実施形態である。つまり、前記化粧部Ｂが、前記係止板１５の外側面に連設し、前記支柱３の前面に沿って側端部まで延びた嵩増部２３と該嵩増部２３から前記脚体４の外側面へ向けて延びた傾斜部２４からなっている。この化粧部Ｂ１によって、前記前記支柱３と脚体４の外側面との間の段差が完全に平面視三角形状の部分で埋め尽くされるのである。
【００２３】
次に、図８〜図１０に基づいて、中間部において前記脚体４を支柱３に連結するための中間部用脚取付部材２５を簡単に説明する。この中間部用脚取付部材２５は、平面視において断面略コ字形の本体部２６を有し、該本体部２６は、前記脚体４の後端面とネジ止めする取付板２７の両側縁に後方へ向いた固定板２８，２８を形成するとともに、両固定板２８，２８の間で、前記取付板２７に断面略Ｌ字形の中間部材２９を固着し、該中間部材２９の後方へ向いた係止板３０の後端に前記支柱３の係止孔１１，…に嵌合係止する複数の下向きフック３１，…を上下に列設している。ここで、前記係止板３０は、両固定板２８，２８の中央に平行に位置している。
【００２４】
そして、前記中間部用脚取付部材２５を前記脚体４の後端面にネジ止めと、前記同様に下連結部材２０とで強固に取付けた後、前記両固定板２８，２８を中間の支柱３の両側面を抱き込むように嵌合するとともに、前記下向きフック３１，…を支柱３の係止孔１１，…に嵌合係止した後、両固定板２８，２８を支柱３にネジ止めして強固に連結するのである。この連結状態では、前記支柱３と脚体４の中心線は一致している。
【００２５】
このように、一定ピッチＷで支柱３，…を立設するとともに、各支柱３に脚体４を連結するが、図５及び図６に示すように、端部に位置する脚体４は、端部用脚取付部材５を用いて前記天板６の側端よりも若干内方に連結片３２で取付け、また図６及び図１０に示すように、中間部に位置する脚体４は、中間部用脚取付部材２５で支柱３の中心に取付け、隣接する天板６，６の接合線を跨いで位置するので両端部を連結片３３で連結する。
【図面の簡単な説明】
【００２６】
【図１】本発明を適用した収納棚の全体側面図である。
【図２】同じく収納棚の正面図である。
【図３】端部の支柱と脚体を端部用脚取付部材で連結した状態の側面図である。
【図４】同じく端部の連結構造を示す分解斜視図である。
【図５】同じく端部の連結構造を示し、（ａ）は天板を省略した簡略横断面図、（ｂ）は要部の拡大横断面図である。
【図６】支柱と脚体及び天板の配置を示す説明用平面図である。
【図７】本発明の他の実施形態を示す要部の拡大横断面図である。
【図８】中間部の支柱と脚体を中間部用脚取付部材で連結した状態の側面図である。
【図９】同じく中間部の連結構造を示す分解斜視図である。
【図１０】同じく中間部の連結構造を示し、（ａ）は天板を省略した簡略横断面図、（ｂ）は要部の拡大横断面図である。
【符号の説明】
【００２７】
１  収納棚、                ２  机、
３  支柱、                  ４  脚体、
５  端部用脚取付部材、      ６  天板、
７  連結杆、                ８  ブラケット、
９  棚板、                  １０  幕板、
１１  係止孔、              １２  突出部、
１３  取付板、              １４  補強杆部、
１５  係止板、              １６  下向きフック、
１７  固定板、              １８  補強部材、
１９  固定板、              ２０  下連結部材、
２１  立起部、              ２２  傾斜板、
２３  嵩増部、              ２４  傾斜部、
２５  中間部用脚取付部材、  ２６  本体部、
２７  取付板、              ２８  固定板、
２９  中間部材、            ３０  係止板、
３１  下向きフック、        ３２  連結片、
３３  連結片、              Ｂ  化粧部、
Ｂ１  化粧部。
【図１】
2008086536.tif 000003
【図２】
2008086536.tif 000004
【図３】
2008086536.tif 000005
【図４】
2008086536.tif 000006
【図５】
2008086536.tif 000007
【図６】
2008086536.tif 000008
【図７】
2008086536.tif 000009
【図８】
2008086536.tif 000010
【図９】
2008086536.tif 000011
【図１０】
2008086536.tif 000012